(57)【特許請求の範囲】
【請求項１】
多極の電気的な差込みコネクタ部材（１００、２００、３００、４００）であって、
この差込みコネクタ部材が、ハウジング（１１０、２１０、３１０、４１０）を有し、
このハウジングが、所定の差込み方向に対して平行に組み立てられる、少なくとも２つのハウジング部材（１１１、１１２、２１１、２１２、３１１、３１２１、３１２２）から成り、
前記ハウジング部材（１１１、１１２、２１１、２１２、３１１、３１２１、３１２２）が、これらハウジング部材の、組み立ての際に互いに向かい合う内側面において、それぞれに成形された平行な溝部（１１４１、１１４２、２１４１、２１４２、３１４２、４１４１、４１４２）を有しており、
これら溝部が、前記ハウジング部材（１１１、１１２、２１１、２１２、３１１、３１２１、３１２２）の組み立ての後、複数の差込み接点要素（５００、５１０）の収容のための複数の平行な収容通路（１１３、３１３）を形成し、
前記差込み接点要素（５００、５１０）が、前記収容通路（１１３、３１３）の突出部（１１７）に係止する、成形されたばね弾性的な要素（５０１）を有しており、および、
少なくとも１つの前記ハウジング部材（１１１）の部分（１１９）が、前記収容通路（１１３、３１３）の内側での前記差込み接点要素（５００）の位置を形状的に係合して固定する様式の上記差込みコネクタ部材において、
前記差込み接点要素（５００）の形状的に係合する固定のための前記部分（１１９）が、ばね舌片（１１６、２１６、３１６１、３１６２、４１６１、４１６２）に設けられており、
これらばね舌片が、前記収容通路（１１３、３１３）の縁部において、１つのハウジング部材（１１２、２１１、３１２１、３１２２、４１２１、４１２２）に成形されていること、および、
前記ばね舌片（１１６、２１６、３１６１、３１６２、４１６１、４１６２）が、成形された係止カム（１１５、４１５）を有しており、これら係止カムが、所属する前記ハウジング部材（１１１、２１１）の外側面（１１８）を越えて偏位され得ること、
を特徴とする差込みコネクタ部材。
【請求項２】
組み立て可能な前記ハウジング部材（１１１、１１２、２１１、２１２、３１１、３１２１、３１２２、４１１、４１２１、４１２２）は、フック結合要素（１４１、１４２、２４１、２４２）、及び／または、係止結合要素（１６１、１６２）によって、解離可能に互いに結合されていることを特徴とする請求項１に記載の差込みコネクタ部材。
【請求項３】
差込みコネクタ装置（８００、９００）であって、この差込みコネクタ装置が、請求項１による、互いに結合可能な、２つの差込みコネクタ部材（１００、２００；３００、４００）から成っていることを特徴とする差込みコネクタ装置（８００、９００）。
【請求項４】
所属する前記ハウジング部材（１１１、２１１）の外側面（１１８）を越えて偏位される、前記ばね舌片（１１６、２１６、３１６１、３１６２、４１６１、４１６２）の前記係止カム（１１５、４１５）は、結合可能な前記差込みコネクタ部材（１００、２００；３００、４００）の完全な結合をブロックすることを特徴とする請求項１または３に記載の差込みコネクタ装置。
【請求項５】
結合可能な前記差込みコネクタ部材（１００、２００；３００、４００）の完全な結合の後、
所属する前記ハウジング部材（１１１、２１１）の外側面（１１８）を越えての前記ばね舌片（１１６、２１６、３１６１、３１６２、４１６１、４１６２）の偏位は、
それぞれに他の前記差込みコネクタ部材（１００、２００；３００、４００）の１つのハウジング部材によってブロックされていることを特徴とする請求項１または３に記載の差込みコネクタ装置。
【請求項６】
１つの差込みコネクタ部材（１００、３００）は、前記差込みコネクタ部材（１００、２００、３００、４００）の間の機械的な結合の保持のための、ＣＰＡロック機構（１５０、３５０）を有していることを特徴とする請求項３に記載の差込みコネクタ装置。
【請求項７】
前記差込みコネクタ装置（８００、９００）は、自動車内における使用のために設けられていることを特徴とする請求項３に記載の差込みコネクタ装置。
【発明の詳細な説明】
【技術分野】
【０００１】
本発明は、多極の電気的な差込みコネクタ部材に関し、
この差込みコネクタ部材が、ハウジングを有し、
このハウジングが、所定の差込み方向に対して平行に組み立てられる、少なくとも２つのハウジング部材から成り、
その際、前記ハウジング部材が、これらハウジング部材の、組み立ての際に互いに向かい合う内側面において、それぞれに成形された平行な溝部を有しており、
これら溝部が、前記ハウジング部材の組み立ての後、複数の差込み接点要素の収容のための複数の平行な収容通路を形成し、
その際、前記差込み接点要素が、前記収容通路の突出部に係止する、成形されたばね弾性的な要素を有しており、および、
その際、前記少なくとも１つのハウジング部材の部分が、前記収容通路の内側での前記差込み接点要素の位置を形状的に係合して固定する。
それに加えて、差込みコネクタ装置が記載されており、この差込みコネクタ装置が、そのような２つの差込みコネクタ部材から成っている。
【背景技術】
【０００２】
特許文献１から、長手方向に分割されたハウジングを有する、電気的な差込みコネクタ部材が公知である。
このハウジングは、２つの担持本体部分から成り、これら担持本体部分が、それぞれに、成形された、平行の、通路状の、複数の接点要素収容部を有している。これら担持本体部分は、並置されて互いに係止され、その際、次いで、それぞれの担持本体部分に附設して形成されたブロック要素が、それぞれに他方の担持本体部分のロック開口部内へと係合し、且つ、このことによって、接点要素が、接点要素収容部内へと形状的に係合して固定する。
【０００３】
この場合、担持本体部分の係止によるハウジングの組み立てが、全ての接点要素の挿入の後に初めて行われ得ることは欠点である。何故ならば、さもなければ、接点要素収容部内へと係合するブロック要素が、接点要素収容部内への接点要素の挿入を阻止するからである。差込みコネクタ部材のハウジングは、これに伴って、挿入された接点要素無しで、予組み立て可能ではない。
【０００４】
特許文献２において、図１９から２４内において、差込みコネクタ部材が図示されており、この差込みコネクタ部材のハウジングは、半割りシェルとして構成された２つのハウジング部材から組み立てられている。
特に同一部材として製造されていることが可能なこれら半割りシェルは、これら半割りシェルの組み立て可能な当接面の上に、長手方向に、それぞれに附設して形成された平行な溝部を有しており、これら溝部が、これら半割りシェルの結合の後、それぞれに長手方向に平行にハウジングを通って延在する、平行な、通路状の収容室を形成する。完成して組み立てられた差込みコネクタ部材において、これら収容室内へと、それぞれに、差込み接点要素、および、この差込み接点要素に結合された導線の一部分が挿入される。
【０００５】
収容室の内側で、差込み接点要素は、それぞれに、リング形状の突出部によって形状的に係合して保持される。それに加えて、導線は、附設して形成された引張り負荷軽減要素によって、収容室内において固定されている。この構造に基づいて、差込み接点要素を、粘着または超音波溶接によって行われ得る、半割りシェルの結合の未だ前に、これら半割りシェルの内の１つの半割りシェルに接合することは必要である。
同様に、ここでも、これに伴って、ハウジング部材の結合の後、差込み接点要素が、この差込み接点要素の導線と共に、既に強固に差込みコネクタ部材のハウジングでもって予組み立てされている。
【０００６】
差込みコネクタにおける、導線のそのような予組み立ては、多くの使用分野のために不利であり、且つ、従って、これらの場合、望ましくない。
例えば、自動車内におけるケーブルの敷設において、異なる機器の接続導線が、共通の、多極の差込みコネクタへと導かれるべき時に、これら接続導線が、既に、強固に、差込みコネクタと結合されている場合、不利である。何故ならば、この場合、配線が差込みコネクタを出発点として敷設されねばならないか、または、しかしながら、それぞれに、機器導線と差込みコネクタの接続導線との間の、付加的な導線結合が形成されているべきであるからである。
【０００７】
同様に、取り囲んで閉鎖された、まず初めに空の収容通路を有する差込みコネクタハウジングが公知であり、これら収容通路内へと、導線と結合された差込みスリーブは、ばね弾性的な係止要素（ランス）と共に挿入され得、これら差込みスリーブが、次いで、収容通路内において係止の状態で保持される。
既に上述された特許文献１は、成形された通路を有する、この様式の差込みコネクタハウジングを示している。通路の形成は、しかしながら、射出成形技術的に比較的に手間暇がかかる。何故ならば、収容通路内における係止要素の製造は、射出成形工具内における、複雑なスライダージオメトリ（Ｓｃｈｉｅｂｅｒｇｅｏｍｅｔｒｉｅｎ）を必要とするからである。そのような工具の高いコスト、および、手間暇がかかる射出成形工程による比較的に長いサイクル時間に基づいて、従って、製造された差込みコネクタは、かなりコスト高である。
【先行技術文献】
【特許文献】
【０００８】
【特許文献１】ドイツ連邦共和国実用新案第２９８  ０４  ４１９  Ｕ１号明細書
【特許文献３】ドイツ連邦共和国特許出願公開第１０  ２００８  ０５２  ８２２  Ａ１号明細書
【発明の概要】
【発明が解決しようとする課題】
【０００９】
本発明の課題は、１つの多極の差込みコネクタ部材を提供することであり、この多極の差込みコネクタ部材が、特に簡単に、且つ、安いコストで製造可能であり、且つ、この多極の差込みコネクタ部材のハウジングが、既に、差込み接点要素の挿入前に、完全に予組み立て可能である。
【課題を解決するための手段】
【００１０】
この課題は、本発明に従い、差込み接点要素の形状的に係合する固定のための部分が、ばね舌片に設けられており、これらばね舌片が、収容通路の縁部において、１つのハウジング部材に成形されていること、および、
前記ばね舌片が、成形された係止カムを有しており、これら係止カムが、所属する前記ハウジング部材の外側面を越えて偏位され得ること、
によって解決される。
【発明の効果】
【００１１】
本発明は、差込みコネクタ部材を、特に簡単に、且つ、安いコストで製造可能なハウジング部材から組み立てることを可能にし、これらハウジング部材が、それぞれに、半割りシェル状に構成されており、且つ、これらハウジング部材が、結合の後、電気的な接点要素を有する、完成して組み立てられたハウジングの事後になってからの装着を可能にする。
【００１２】
この場合、個々のハウジング部材が、取り囲んで閉鎖された如何なる収容通路も有してなく、むしろ、これら収容通路を組み立ての後に初めて形成することは有利である。個々の半割りシェル状のハウジング部材において、如何なる取り囲む中空室も設けられていないので、如何なる複雑に成形された射出成形工具も必要ではなく、且つ、これらハウジング部材の製造が、簡単な、且つ、安いコストの工具によって、特に、簡単に、且つ、迅速に行われ得る。
【００１３】
少なくとも１つのハウジング部材の壁部内に成形されたばね舌片によって、差込み接点要素が、簡単な方法で、完全に組み立てられた差込みコネクタ部材内へと挿入され得、且つ、このことによって、これら差込みコネクタ部材のハウジングが、差込み接点要素の挿入前に、完全に予組み立て可能であることが達成される。このことによって、有利には、所定の使用位置において、差込みコネクタ部材に、接続導線と結合された差込み接点要素を付加することは可能である。
【００１４】
特に、ばねアームの外側に成形された係止要素を、例えば係止カムの様式で設けることは有利である。
そのような係止要素は、一方では、不完全に挿入された差込み接点要素を有する差込みコネクタ部材が、電気的に互いに結合されて無く、且つ、差込みコネクタ装置へと組み立てられ得ることを生起する。既に互いに結合された差込みコネクタ部材において、これら係止要素は、他方では、差込みコネクタ部材への、事後になってからの差込み接点要素の付加を阻止し、これら両方のことが、有利には、電気的な信頼性の向上に寄与する。
【００１５】
本発明の有利な実施形態の変形において、２つの平行な収容通路の列を有する差込みコネクタ部材が実現され得る。これら収容通路は、互いに結合された３つのハウジング部材から成り、その際、それぞれに、直接的な接触において互いに起立する、２つのハウジング部材が、収容通路の１つの列を形成している。
【００１６】
本発明の有利な実施例を、以下で図に基づいて示し、且つ、説明する。
【図面の簡単な説明】
【００１７】
【図１】未結合の差込みコネクタ部材を有する、第１の差込みコネクタ装置の図である。
【図２】互いに結合された差込みコネクタ部材を有する、第１の差込みコネクタ装置の図である。
【図３】差込みコネクタ部材のハウジングハウジングの図である。
【図４】差込みコネクタ部材のハウジング部材の、第１の眺望の図である。
【図５】差込みコネクタ部材のハウジング部材の、第２の眺望の図である。
【図６】差込みコネクタ装置の断面図である。
【図７】差込みコネクタ部材の断面図である。
【図８】未結合の差込みコネクタ部材を有する、第２の差込みコネクタ装置の図である。
【図９】第２の差込みコネクタ装置の第１の差込みコネクタ部材の図である。
【図１０】第２の差込みコネクタ装置の第２の差込みコネクタ部材の図である。
【図１１】断面図における、第２の差込みコネクタ装置の一部分の図である。
【発明を実施するための形態】
【００１８】
図１は、未だに未結合の多極の差込みコネクタ部材１００、２００を有する、第１の差込みコネクタ装置８００を示している。
この差込みコネクタ装置８００は、ここで、純粋に、例示的に、６極に構成されており、従って、これら両方の差込みコネクタ部材１００、２００の内側に、それぞれに、６本の接続導線１３０、２３０が導入され、且つ、ハウジング１１０、２１０の内側で、図１において図示されていない、電気的な差込み接点要素と結合されている。
第１の差込みコネクタ部材１００の外側に、係止アーム１６０が、ばね弾性的に設けられており、この係止アームは、第２の差込みコネクタ部材２００のハウジング２１０に装着された突出部２５０と係止可能である。移動可能なＣＰＡロック機構１５０による、互いに差し込まれた差込みコネクタ部材１００、２００におけるこの係止結合は、分離に対して保持される（ｇｅｓｉｃｈｅｒｔ）。
【００１９】
図２は、組み立てられた差込みコネクタ部材１００、２００を有する、差込みコネクタ装置８００を示しており、これら差込みコネクタ部材において、電気的な差込み接点要素が、ハウジング１１０、２１０の内側において互いに結合されている。
機械的に、両方の差込みコネクタ部材１００、２００のハウジング１１０、２１０は、係止アーム１６０によって互いに係合されており、この係止アームが、（図２内において覆い隠された）突出部２５０を上側からグリップしている。付加的に、移動されたＣＰＡロック機構１５０は、係止結合を解放に対して保持する。差込みコネクタ部材１００、２００の分離のために、ＣＰＡロック機構１５０は、手動の操作によって、図２内において図示された位置から移動され得る。
【００２０】
図３内において、両方の差込みコネクタ部材１００、２００のハウジング１１０、２１０が、接続導線および差込み接点要素のような、電気的な構成要素無しに図示されている。
図４が明瞭に示しているように、両方のハウジング１１０、２１０のそれぞれは、第１の差込みコネクタ部材１００のハウジング１１０に対する差込みによって接合されたＣＰＡロック機構１５０を除いて、それぞれ２つのハウジング部材１１１、１１２、もしくは、２１１、２１２から構成されており、これらハウジング部材が、フック結合要素１４１、１４２、２４１、２４２、および、係止結合要素１６１、１６２によって、形状的に係合して、互いに結合されている。
【００２１】
図５は、同じハウジング部材１１１、１１２、２１１、２１２を、他の透視から示しており、従って、図４内において覆い隠されたハウジング部材１１１、１１２、２１１、２１２の前面側および後面側が認識可能である。
図４および５の共通の眺望は、それぞれに、ハウジング１１０、もしくは、２１０へと結合可能なハウジング部材１１１、１１２、２１１、２１２が、これらハウジング部材の組み立ての際に互いに向かい合う内側面に、それぞれに、附設して形成された、平行な溝部１１４１、１１４２、もしくは、２１４１、２１４２を有しており、
これら溝部が、ハウジング部材１１１、１１２、２１１、２１２の組み立ての後、図３内においてハウジング１１０に図示されている、互いに平行な収容通路１１３を、円形、長円形、または、多角形の断面を有する、円筒形の中空室の様式において形成することを明瞭に示している。
【００２２】
それぞれのハウジング１１０、２１０のそれぞれに１つのハウジング部材１１２、２１１において、溝部１１４２、２１４２に沿って、弾性的なばね舌片１１６、２１６が、これらハウジング部材１１２、２１１の壁部に成形されており、これらばね舌片は、差込み接点要素５００を第１および第２の差込みコネクタ部材１００、２００のハウジング１１０、２１０において固定することの目的のために設けられている。
ばね舌片１１６を用いての差込み接点要素５００の固定は、図６および７内において、例示的に、第１の差込みコネクタ部材１００において図示されている。
【００２３】
溝部１１４１、１１４２、２１４１、２１４２を側方で区画している、ウェブ１２１、１２２、２２１、２２２の上側の縁部は、いくつかのハウジング部材１１２、２１１において、成形されたはぎ部１２３、２２３を有している。
これらハウジング部材１１２、２１１に接合可能な、形状相補的なハウジング部材１１１、２１２において、これらはぎ部１２３、２２３内へと適合する、さね部１２４、２２４が、附設して形成されている。
これによって、ウェブ１２１、１２２、２２１、２２２が、組み立てられたハウジング部材１１１、１１２、もしくは、２１１、２１２において、さねはぎ結合を互いに形成し、これらさねはぎ結合は、特に簡単な、且つ、嵌合的に精確なハウジング部材１１１、１１２、もしくは、２１１、２１２の組み立てを、および、正確な、且つ、安定的な収容通路１１３の形成を可能にする。
【００２４】
図６および７は、それぞれに１つの断面図内において、第１の差込みコネクタ部材１００内における、差込み接点要素５００の固定を明瞭に示している。図６は、この目的のために、ハウジング１１０内における、１つの収容通路１１３を通る断面を示している。
この第１の差込みコネクタ部材１００は、ここで、一部分距離を空けて、第２の差込みコネクタ部材２００内へと挿入されている（ｅｉｎｇｅｓｅｔｚｔ）が、しかしながら、未だに完全には、第２の差込みコネクタ部材２００と結合されていない。この第１の差込みコネクタ部材１００の自由な端部から、ここで、差込み接点要素５００が、この差込み接点要素に結合された接続導線１３０と共に収容通路１１３内へと挿入され、その際、しかしながら、この差込み接点要素５００は、この差込みコネクタ部材１００の内側で、この差込み接点要素の所定の組み立て位置に未だに到達していない。
【００２５】
差込み接点要素５００は、ここで、例示的に、差込みスリーブとして図示されている。この差込みスリーブ５００は、１つの部材から成る打抜き曲げ部材として製造され得、この打抜き曲げ部材が、ボックス形状のスリーブ本体５０２を形成し、このスリーブ本体内へと、ここで図示されていない、相補的な、ピン形状の差込み接点要素が挿入され得、この差込み接点要素が、第２の差込みコネクタ部材２００によって保持されている。スリーブ本体５０２と、１つの部材から成るように導線結合部分５０３が結合されており、この導線結合部分において、接続導線１３０が、圧着によって固定されている。
【００２６】
差込み接点要素５００のスリーブ本体５０２が、半径方向において、導線結合部分５０３との比較において、並びに、同様に、このスリーブ本体５０２とこの導線結合部分５０３との間の移行領域５０４との比較においても、相対的に拡張されていることは、認識可能である。
第１の差込みコネクタ部材１００ハウジング部材１１２に附設して形成されたばね舌片１１６は、附設して形成された鼻状に突起した部分１１９を有しており、この部分が、収容通路１１３内へと延在している。未だに完全には、収容通路１１３内へと挿入されていない差込み接点要素５００は、この差込み接点要素のスリーブ本体５０２でもって、ハウジング１１０の内側から、ばね舌片１１６のこの部分１１９に対して押圧し、且つ、このことによって、このばね舌片１１６をこのばね舌片の静止位置から摺動する。このことによって、ばね舌片１１６の外側に附設して形成された係止カム１１５が、第１の差込みコネクタ部材１００の、ハウジング１１０の外側面１１８のレベルを越えて立ち上がる。
図６内において、ハウジング１１０から突出する係止カム１１５が、両方の差込みコネクタ部材１００、２００の更なる組み立て（Ｚｕｓａｍｍｅｎｆｕｅｇｅｎ）をブロックすることが認識可能である。
【００２７】
図７は、完全に、第１の差込みコネクタ部材１００ハウジング１１０内へと挿入された差込み接点要素５００を示している。
この差込み接点要素５００は、この差込み接点要素のスリーブ本体５０２において、突出するばね弾性的な要素を有しており、この要素が、ランス５０１と称される。このランス５０１は、差込み接点要素５００の最終位置において、収容通路１１３の突出部１１７において係止し、且つ、このことによって、収容通路１１３の内側での、この差込み接点要素５００の一次的な保持を生起する。
【００２８】
図７が更に示しているように、ばね舌片１１６に附設して形成された部分１１９は、完全に１つの収容通路１１３内へと挿入された差込み接点要素５００の際に、半径方向において特に幅狭の、この差込み接点要素５００の移行領域５０４の上側で位置決めされている。
部分１１９は、このことによって、差込み接点要素５００の上側で十分な余地があり、従って、ばね舌片１１６が、ここで、このばね舌片の静止位置から偏位されない。係止カム１１５の上側は、このことによって、ハウジング部材１１２外側面１１８と同じ高さに位置し、このことによって、この係止カムが、差込みコネクタ部材１００、２００の組み立てをもはやブロックしない。未だに、少なくとも１つの差込み接点要素５００が不完全に差込みコネクタ部材１００内へと挿入されている限りは、一方では、附設して形成された部分１１９を有するばね舌片１１６が、他方では、係止カム１１５が、これに伴って、結合された差込みコネクタ装置８００への差込みコネクタ部材１００、２００の組み立てを阻止する。
相応する機構を、同様に、第２の差込みコネクタ部材２００において設けることは、しかしながらここで具象的な図示されていないが、有利である。
【００２９】
差込みコネクタ部材１００、２００が、結合された差込みコネクタ装置８００へと組み立てられる（ｚｕｓａｍｍｅｎｇｅｓｅｔｚｔ）やいなや、第２の差込みコネクタ部材２００の内側壁部２１８は、係止カム１１５の、およびこれに伴って、ばね舌片１１６の上昇をブロックし（ここで、詳細には図示されていない）、このことによって、ここで、ばね舌片１１６における部分１１９が、収容通路１１３内へと挿入された差込み接点要素５００のための、二次的な保持を形成する。
差込みコネクタ部材１００、２００が互いに結合されるやいなや、未だに如何なる差込み接点要素５００も挿入されていない収容通路１１３において、ばね舌片１１６の部分１１９は、差込み接点要素５００の事後になってからの挿入（Ｅｉｎｆｕｅｇｅｎ）を阻止する。
【００３０】
差込みコネクタ部材１００、２００の組み立て（Ｍｏｎｔａｇｅ）は、それぞれの必要に相応して、手動で、または、自動的に行われ得る。それらの位置における、ハウジング部材１１１、１１２、２１１、２１２の保持は、形状的に係合する、および、摩擦結合的な幾何学的形状によって行われる。位置の保持のために、付加的に、または、専ら、粘着個所の使用が行われ得る。
【００３１】
前記で説明された実施例において、差込みコネクタ装置へと組み立て可能な、両方の差込みコネクタ部材１００、２００は、それぞれに、ハウジング１１０、２１０を有しており、このハウジングが、差込み方向において、長手方向に分割されて、それぞれに、半割りシェル状の２つのハウジング部材１１１、１１２、２１１、２１２から、組み立てられている。これによって、構造的な長手方向分割が、ハウジング１１０、２１０の中央において生じ、この長手方向分割は、差込み接点要素５００の収容通路１１３に沿って真ん中で延在している。
【００３２】
収容通路１１３が、これに伴って、先ず第一に、ハウジング部材１１１、１１２、もしくは、２１１、２１２の組み立てによって形成し、且つ、前もって、中空室として、これらハウジング部材内において成形されていないので、製造の際に、射出成形工具内において、この工具内における如何なるスライダージオメトリも必要ではなく、このことは、ハウジング部材１１１、１１２、２１１、２１２の製作を、特に簡単に成形された射出成形工具内において可能にする。
射出成形工具の比較的に簡単な様式によって、ハウジング部材１１１、１１２、２１１、２１２は、それに加えて、比較的に短いサイクル時間でもって、および、このことによって、特に安いコストで製造され得る。
【００３３】
本発明に従う差込みコネクタ装置９００の第２の実施例は、図８から１１までによって、１４極で２列の、２つの差込みコネクタ部材３００、４００の例において、明瞭に示されている。この構成において、差込みコネクタ部材３００、４００は、２つのハウジング部材からなる代わりに、それぞれに、３つのハウジング部材３１１、３１２１、３１２２、もしくは、４１１、４１２１、４１２２から成っている。
【００３４】
有利には、それぞれの差込みコネクタ部材３００、４００において、中間のハウジング部材３１１、４１１に対して２つの側によって接合された、２つのハウジング部材３１２１、３１２２、もしくは、４１２１、４１２２は、安いコストで製造可能な同一部材として形成されており、従って、同様に、差込みコネクタ装置９００のためにも、それぞれの差込みコネクタ部材３００、４００毎に、ただ、それぞれに２つの異なるハウジング部材のための射出成形工具が設けられねばならないだけである。
【００３５】
図８内において、完成して組み立てられた状態で相対峙する、且つ、図９および１０内において、それぞれに個々に、および、それら差込みコネクタ部材のハウジング部材３１１、３１２１、３１２２、４１１、４１２１、４１２２でもって図示されている、差込みコネクタ部材３００、４００は、両方、差込み接点要素の収容のための収容通路３１３が、先ず第一に、２つのハウジング部材の組み立てによって与えられることの、本発明に所属する原理を実現する。
【００３６】
このことは、特に良好に、図９内において図示されているハウジング４１０に基づいて認識され得る。
このハウジング４１０は、中間のハウジング部材４１１との、２つの外側のハウジング部材４１２１、４１２２の組み立てによって得られる。この中間のハウジング部材４１１は、この中間のハウジング部材の、両方の主平面の部材の上に附設して形成された平行な溝部４１４１、４１４２を有しており、これら溝部の開放側が、外側に位置している。これら溝部４１４１、４１４２は、２つの外側のハウジング部材４１２１、４１２２の接合によって閉鎖され、且つ、収容通路に対して補充される。
外側のハウジング部材４１２１、４１２２の壁部は、成形されたばね舌片４１６１、４１６２を有しており、これらばね舌片が、予組み立てされたハウジング４１０内への差込み接点要素の挿入を可能にし、且つ、その際、これら差込み接点要素の機械的なロックを生起する。ばね舌片４１６１、４１６２は、同様にここでも、成形された係止カム４１５を有しており、未だに、少なくとも１つの差込み接点要素が、不完全に収容通路内へと挿入されている限り、これら係止カムが、結合された差込みコネクタ装置９００に対する、差込みコネクタ部材３００、４００の組み立てを阻止する。
【００３７】
差込みコネクタ部材３００の、ハウジング４１０に対して相補的なハウジング３１０は、このハウジングの細目において、図１０内において図示されている。
このハウジング３１０の組み立てのために、２つのハウジング部材３１２１、３１２２が、第３のハウジング部材３１１内へと挿入される。ハウジング部材３１１の内側に成形された中間壁部３１１１は、ハウジング部材３１２１、３１２２内へと成形された溝部３１４２を、図１１の断面図内において認識可能である差込み接点要素５１０のための収容通路３１３に対して補充する。
【００３８】
図１１が更に示しているように、ハウジング部材３１１の中間壁部３１１１は、中空室３１１２を形成しており、この中空室内へと、ハウジング４１０の、中実の、剣形状の中間壁部４１１１が挿入され得る。
この中空室３１１２は、従って、剣形状の中間壁部４１１１のための案内通路としての役目を果たし、この剣形状の中間壁部が、協働して、差込みコネクタ部材３００、４００の組み立てを補助する。差込みコネクタ装置９００への、差込みコネクタ部材３００、４００の組み立ての後、ハウジング３１０に設けられたＣＰＡロック機構３５０は、差込みコネクタ部材３００、４００の間の機械的な結合を保持する。
【００３９】
この差込みコネクタ装置９００は、有利には、比較的に多数の結合可能な接点を、比較的にコンパクトな空間に対して提供する。
【符号の説明】
【００４０】
１００、２００、３００、４００    差込みコネクタ部材
１１０、２１０、３１０、４１０    ハウジング
１１１、１１２、２１１、２１２、３１１、３１２１、３１２２、４１１、４１２１、４１２２    ハウジング部材
３１１１、４１１１    中間壁部
３１１２    中空室（案内通路）
１１３、３１３    収容通路
１１４１、１１４２、２１４１、２１４２、３１４２、４１４１、４１４２    成形された平行な溝部
１１５、４１５    係止カム
１１６、２１６、３１６１、３１６２、４１６１、６１６２    ばね舌片
１１７    突出部
１１８    外側面
２１８    内側壁部
１１９    部分
１２１、１２２、２２１、２２２    ウェブ
１２３、２２３    はぎ部
１２４、２２４    さね部
１３０、２３０    接続導線
１４１、１４２、２４１、２４２    フック結合要素
１５０、３５０    ＣＰＡロック機構
２５０、４５０    突出部
１６０    係止アーム
１６１、１６２    係止結合要素
５００、５１０    差込み接点要素、差込みスリーブ
５０１    ばね弾性的な要素（ランス）
５０２    スリーブ本体
５０３    導線結合部分
５０４    移行領域
８００、９００    差込みコネクタ装置
【図１】
0006567160.tif 000002
【図２】
0006567160.tif 000003
【図３】
0006567160.tif 000004
【図４】
0006567160.tif 000005
【図５】
0006567160.tif 000006
【図６】
0006567160.tif 000007
【図７】
0006567160.tif 000008
【図８】
0006567160.tif 000009
【図９】
0006567160.tif 000010
【図１０】
0006567160.tif 000011
【図１１】
0006567160.tif 000012